(57)【要約】  本発明の画像表示装置は、カラーキャリブレーションを行う際に表示部（７０）上に設置される画像センサ（１０）の陰になってしまう領域の画像を視認できるようにするため、前記画像センサ（１０）が設けられた画面上の位置を検出するセンサ位置検出部（３１）と、前記センサ位置検出部（３１）によって検出された画面上の位置の画像を前記画面上の他の領域に表示する画像処理部（５０）とを有する。
2010116467.tif 000002
【特許請求の範囲】
【請求項１】
画像センサーが設けられた画面上の位置を検出するセンサー位置検出部と、
前記センサー位置検出部によって検出された画面上の位置の画像を前記画面上の他の領域に表示する画像処理部と、
を有することを特徴とする画像表示装置。
【請求項２】
前記画像処理部は、
前記画面を第１の画像データに応じた表示を行うとともに、前記画面のうち一部を前記第２の画像データに応じた表示を行い、当該第２の画像データに応じた画像を表示する位置を前記画像内において順次を変えて表示し、
前記センサー位置検出部は、
前記センサー位置検出部の検出結果に基づいて、前記第２の画像データに応じた検出結果が得られたか否かを判定し、前記第２の画像データに応じた検出結果が得られた場合に、当該第２の画像データに応じた検出結果が得られた際に前記第２の画像データが表示された画面上の位置が前記画像センサーが設けられた画像上の位置であることを検出する
ことを特徴とする請求項１記載の画像表示装置。
【請求項３】
前記画面上に表示されるポインタの位置を検出するポインタ検出部を有し、
前記画像処理部は、前記ポインタ検出部が検出したポインタの位置が前記センサー位置検出部が検出した画像センサーの位置と重なる場合に、前記センサー位置検出部によって検出された画面上の位置の画像を前記画面上の他の領域に表示する
ことを特徴とする請求項１または２に記載の画像表示装置。
【請求項４】
センサー位置検出部が、画像センサーが設けられた画面上の位置を検出し、
画像処理部が、前記センサー位置検出部によって検出された画面上の位置の画像を前記画面上の他の領域に表示する
ことを特徴とする画像処理方法。
【発明の詳細な説明】
【技術分野】
【０００１】
本発明は、液晶ディスプレイ、プラズマディスプレイ等の画像表示装置に関し、特に、画像表示部上に設置した画像センサーや障害物によって画面の表示が隠れてしまう部分に関し画像処理を行う画像表示装置、及び画像処理方法に関する。
【背景技術】
【０００２】
液晶ディスプレイやプラズマディスプレイ等の画像表示装置において、カラーキャリブレーションが行われる。カラーキャリブレーションとは、画像の輝度や色味を輝度センサーや色センサーによって測定し、その測定結果に応じて、画像表示を補正するものである。このように、光センサー等の画像センサーを液晶ディスプレイ等に設ける構成として、例えば、以下に示す特許文献１、２、３がある。
【特許文献１】特開２００１−２６５２９６号公報
【特許文献２】特開２００８−１７０５０９号公報
【特許文献３】特開２００８−１８１１０９号公報
【発明の開示】
【発明が解決しようとする課題】
【０００３】
しかしながら、液晶ディスプレイやプラズマディスプレイ等の画像表示装置において、その画面表示部上に輝度センサーや色センサー等を設置すると、本来画像を表示すべき領域が隠れてしまうという問題があった。
また、これらセンサー部分を可動式にし、通常使用時には画面外の筐体の中に隠すことができるものもあるが、計測時には画面上に配置する必要があるため、ユーザは、画面上の一部の領域がセンサーによって視認できなくなるという問題があった。
また、投影式のプロジェクターにおいては、投影間に人が立つとスクリーンに影ができ、画像表示の妨げとなってしまうという問題があった。
本発明は、上述の問題を解決するために、センサー等の陰になってしまう画面の表示領域を視認できる画像表示装置、及び画像処理方法を提供する。
【課題を解決するための手段】
【０００４】
上述した課題を解決するために、本発明は、画像センサーが設けられた画面上の位置を検出するセンサー位置検出部と、前記センサー位置検出部によって検出された画面上の位置の画像を前記画面上の他の領域に表示する画像処理部と、を有することを特徴とする。【０００５】
また、本発明は、前記画像処理部は、前記画面を第１の画像データに応じた表示を行うとともに、前記画面のうち一部を前記第２の画像データに応じた表示を行い、当該第２の画像データに応じた画像を表示する位置を前記画像内において順次を変えて表示し、前記センサー位置検出部は、前記センサー位置検出部の検出結果に基づいて、前記第２の画像データに応じた検出結果が得られたか否かを判定し、前記第２の画像データに応じた検出結果が得られた場合に、当該第２の画像データに応じた検出結果が得られた際に前記第２の画像データが表示された画面上の位置が前記画像センサーが設けられた画像上の位置であることを検出することを特徴とする。【０００６】
また、本発明は、前記画面上に表示されるポインタの位置を検出するポインタ検出部を有し、前記画像処理部は、前記ポインタ検出部が検出したポインタの位置が前記センサー位置検出部が検出した画像センサーの位置と重なる場合に、前記センサー位置検出部によって検出された画面上の位置の画像を前記画面上の他の領域に表示することを特徴とする。【０００７】
また、センサー位置検出部が、画像センサーが設けられた画面上の位置を検出し、画像処理部が、前記センサー位置検出部によって検出された画面上の位置の画像を前記画面上の他の領域に表示することを特徴とする。
【発明の効果】
【０００８】
本発明によれば、画像センサーの位置に対応する画像を、表示画面上の他の領域に表示するようにしたので、画像センサーによって隠れてしまった画像表示を視認可能に表示することができる。
また、本発明は、外部に設けた画像センサーにより計測しているときは、画像センサーによって隠れてしまう画面を視認することができなかったが、計測時であっても、画像センサーがもうけられた位置の画像を視認可能に表示することが可能となる。 
また、本発明は、自動でセンサー位置を計測することにより、様々な形のセンサーに対応することができる点である。
【図面の簡単な説明】
【０００９】
【図１】画面上に画像センサーを搭載した画像表示装置の外観図である。
【図２】画像センサーが外付け機器として設置され、画面中央の輝度や色度の計測を行う画像表示装置の外観図である。
【図３】この発明の一実施形態による画像表示装置の構成を示す概略ブロック図である。
【図４】画像表示装置１の動作について説明するフローチャートである。
【図５】筐体１００に隣接する位置に、画像センサーが配置された場合を表す図である。
【図６】生成した画像Ｃを領域Ｂに表示した場合の表示画面を表す図である。
【図７】他の実施形態における画像表示装置の構成を示す概略ブロック図である。
【図８】他の実施形態における表示装置１に表示される画面の一例を表す図である。
【図９】他の実施形態における表示装置１に表示される画面の一例を表す図である。
【符号の説明】
【００１０】
１  表示装置
１０  画像センサー
３０、３５  制御部
３１  センサー位置検出部
３２  ポインタ検出部
４０  位置データ記憶部
５０  画像処理部
７０  表示部
【発明を実施するための最良の形態】
【００１１】
以下、本発明の一実施形態による画像表示装置について図面を参照して説明する。この実施形態においては、特に画像センサーを搭載した画像表示装置について説明する。
この画像表示装置は、例えば、液晶ディスプレイ、プラズマディスプレイなどであり、画像表示部上に設置した画像センサーや障害物によって画面の表示が隠れてしまう部分に関して画像処理を行い、その隠れてしまった画像を表示画面上の他の場所に表示することによって、表示内容を視認できるように伝達するものである。【００１２】
図１は、内蔵型と呼ばれるタイプのものであり、画面上に画像センサーを搭載した画像表示装置の外観図である。画像センサーの設置位置が固定されている場合は、センサーの位置情報も固定となるため、位置情報を手動で設定することができる。
図２は、外付け計測型と呼ばれるタイプのものであり、画像センサーが外付け機器として設置され、画面中央の輝度や色度の計測を行う画像表示装置の外観図である。
この時のセンサー位置検出手段として、手動で位置を設定する場合と自動で設定する場合が考えられるが、ある程度大きさの決まっている汎用のセンサー機器を使用する場合は、大まかな計測位置、およびサイズがあらかじめ分かっているため、手動で位置座標を入力することもできる。【００１３】
図３は、この発明の一実施形態による画像表示装置の構成を示す概略ブロック図である。
画像表示装置１は、画像センサー１０、画像センサー位置入力部２０、制御部３０、位置データ記憶部４０、画像処理部５０、入力部６０、表示部７０を備える。
画像センサー１０は、画像表示装置１の表示画面に表示された画像を検出する。例えば、検出対象領域内の画像の輝度または色度を検出する。この検出対象領域は、複数の画素を含む領域あるいは一つの画素である。
画像センサー位置入力部２０は、画像センサー２０が固定的に設置される場合、この設置位置を表す位置データの入力を受け付ける。【００１４】
制御部３０は、センサー位置検出部３１を有する。センサー位置検出部３１は、画像センサー１０が設けられた画面上の位置を検出する。センサー位置検出部３１は、センサー位置検出部３１の検出結果に基づいて、第２の画像データに応じた検出結果が得られたか否かを判定し、第２の画像データに応じた検出結果が得られた場合に、当該第２の画像データに応じた検出結果が得られた際に第２の画像データが表示された画面上の位置が画像センサーが設けられた画像上の位置であることを検出する。第１の画像データとは、画像表示装置の表示画面全体に表示させる画像データであり、輝度あるいは色度が予め決められている。第２の画像データとは、第１の画像データの一部に表示させる画像データであって、第１の画像データとは輝度あるいは色度が異なる画像データである。【００１５】
位置データ記憶部４０は、画像センサー１０が設けられた位置を表す位置情報を記憶する。この位置情報は、例えば、画像センサー１０が設けられた位置に応じた表示画面条の座標データが記憶される。【００１６】
画像処理部５０は、センサー位置検出部３０によって検出された画面上の位置の画像を画面上の他の領域に表示する。
また、画像処理部５０は、画面を第１の画像データに応じた表示を行うとともに、画面のうち一部を第２の画像データに応じた表示を行い、当該第２の画像データに応じた画像を表示する位置を画像内において順次を変えて表示する。
また、画像処理部５０は、ポインタ検出部３２が検出したポインタの位置がセンサー位置検出部３１が検出した画像センサーの位置と重なる場合に、センサー位置検出部３２によって検出された画面上の位置の画像を画面上の他の領域に表示する。なお、この位置が重なるか否かの判断を制御部３０が行い、この判断結果を画像処理部５０が入力する。【００１７】
入力部６０は、画像表示方法を選択する指示の入力を受け付け、指定された画像表示方法を画像処理部５０に入力する。この画像表示方法としては、例えば、ユーザが自由に機能（画像センサーの位置に応じた画像を他の領域に表示する機能）のオンオフ、あるいは、好みの画像処理方法を選択できるようにする。また、この画像処理の選択手段の一例として、後述する他の実施形態のように、マウスポインタの位置を検出する手段を設け、そのマウスポインタが画像センサーの位置に重なった場合にのみ画像処理を行う機能を選択するようにしてもよい。
表示部７０は、例えば液晶パネルであり、各種画像を表示する。【００１８】
次に、図３の構成における画像表示装置１の動作について、図４のフローチャートを用いて説明する。
まず、制御部３０は、画面の表示を全黒表示にするように画像処理部５０に指示を出力する。画像処理部５０は、制御部３０からの指示に基づき、画面を一旦全黒表示にする（ステップＳ１）。
画像センサー１０は、配置された位置において、全黒表示された表示部の画面の画像の輝度を検出する（ステップＳ２）。制御部３０は、画像センサー１０の検出結果を取り込み、検出結果すなわち画像センサー１０の検出結果が第１の基準値である「０」であるか否かを判定する（ステップＳ３）。
画像センサー１０の検出結果が「０」ではない場合には、画像処理部５０に表示内容を変更するように指示する。例えば、画像センサー１０によって１以上の値が検出されている場合、制御部３０は、輝度を下げるように画像処理部５０に指示を出力して（ステップＳ４）、再度画像を表示させ、ステップＳ２に移行する。
一方、画像センサー１０の検出結果が「０」である場合、制御部３０は、画像センサー１０の位置検出用の画像を表示するように画像処理部５０に指示を出力する（ステップＳ５）。画像処理部５０は、この指示を受けて、全黒表示を行っている画面の一部に、数ドット単位での白表示の矩形領域画像を位置検出用画像として表示部７０に描画するとともに、表示部７０の画面端から順に走査（移動）する。
次に、制御部３０は、画像センサー１０の検出結果が第２の基準値であるか否かを判定する（ステップＳ６）。ここでは、位置検出用画像が画像センサー１０の輝度を検出する領域外である場合、画像センサー１０からの検出結果として「０」が入力される。この場合、制御部３０は、位置検出用画像の位置をさらに変えるように画像処理部５０に指示する（ステップＳ７）。【００１９】
一方、位置検出用画像の表示位置が順次変更され、位置検出用画像が画像センサー１０の輝度を検出する領域内に位置した場合、画像センサー１０は、この位置検出用画像の検出結果（例えば「１８０」を）」を制御部３０に出力する。制御部３０は、この検出結果を受けて、画像処理部５０に位置検出用画像の移動の停止を指示する。画像処理部５０は、この位置検出用画像の移動の停止指示を受け、この検出された位置検出用画像が表示された座標を表す位置データを制御部３０に出力する。制御部３０は、画像処理部５０から出力された位置データを位置データ記憶部４０に記憶する（ステップＳ８）。【００２０】
位置データが記憶されると、制御部３０は、検出されたセンサー位置をマイコン等で計測し、検出されたセンサー位置の座標を画像処理部５０に通知するとともに、検出されたセンサー位置の座標における画像データとその周囲の画像データに対しての画像処理を行うように画像処理部５０に指示する。 
画像処理部５０は、この指示を受けると、センサー位置の座標における画像データを、その画像の近傍の画像上に重ねて表示する（ステップＳ９）。【００２１】
次に、図５、図６を用いて、画像表示装置１の表示画面について説明する。図５は、筐体１００に隣接する位置に、画像センサー１０が配置された場合を表す図である。この図において、領域Ａは、画像センサー１０が配置され画像が視認できない画像の位置を表す。領域Ｂは、領域Ａに隣接する画像の位置を表す。【００２２】
ここで、画像センサー１０によって視認できない領域Ａは、位置データに対応している。従って、位置データに隣接する領域Ｂを画像処理部５０が特定し、全体の表示領域と領域Ａとの差分を演算することによって領域Ｂの画像サイズを算出する。そして、この算出された領域Ｂの画像サイズと、領域Ａの画像サイズを演算し、この得られた合計の画像サイズを、領域Ｂの画像サイズになるように縮小した画像Ｃを生成し、その生成した画像Ｃを領域Ｂに画像Ｃとして表示する。図６は、生成した画像Ｃを領域Ｂに表示した場合の表示画面を表す図である。【００２３】
これにより、画像センサー１０によって視認できない画像の領域である領域「Ａ」について、画像センサー１０が配置されていない領域の画面上に表示するようにしたので、画像センサー１０によって視認できない領域の画像を視認することができる。
なお、ここでは、領域Ａの画像と領域Ｂの画像とを縮小して画像Ｃとして領域Ｂに表示するようにしたが、領域Ａの画像を領域Ｂに表示するようにしてもよい。例えば、画面上において特に重要な情報が表示されない領域がある場合、その領域を領域Ｂとして指定しておき、領域Ａの画像を領域Ｂに表示することができる。これにより、領域Ｂの画像を含めて画像を縮小する場合に比べて、領域Ａの画像をあまり縮小させずに表示することができ、視認しやすくなる。【００２４】
また、上述の実施形態においては、領域Ａの画像を表示する位置は、領域Ｂすなわち、隣接する右側に限られるものではなく、領域Ａ以外の画面上の任意の位置を指定して、表示することができる。 
なお、この画像を縮小する処理については、各種の画像処理によって行うことが可能であるので、その説明を省略する。【００２５】
以上説明した実施形態においては、画像センサー１０の位置に対応する画像を、その他の領域に表示させる一例として、隣接する位置に表示する場合について説明したが、どの位置に表示させるかについては、その表示位置を指定する入力を入力部６０が受け付けるようにし、画像処理部が、これに従い、表示するようにしてもよい。【００２６】
また、以上説明した実施形態において、位置検出用画像の矩形領域画像のサイズは、任意のサイズにすることができ、例えば、画像のサイズを大きくすれば、移動量を大きくすることが可能であるので、画像センサー１０の位置を特定する精度が高くはないが、計測時間を短縮することができ、一方、画像のサイズを小さくすれば、移動量が小さくなるので、移動に時間がかかるが、画像センサー１０の位置を特定する精度を向上させることができる。また、位置検出用画像の移動量は、１ドット単位または、数ドット単位にしてもよい。また、位置検出用画像の移動方向も任意に定めるようにしてもよい。例えば、画面左上から右方向に移動させ、右端まで移動した場合には、１段下段に左から右へ移動させるようにしてもよい。【００２７】
次に、他の実施形態について説明する。図７は、他の実施形態における画像表示装置１Ａの構成を示す概略ブロック図である。
図７において、図３に対応する部分に同じ符号を付し、その説明を省略する。ポインタ検出部３２は、表示部７０の画面上に表示されるポインタの位置を検出する。
画像処理部５５は、ポインタ検出部３２が検出したポインタの位置がセンサー位置検出部３１が検出した画像センサーの位置と重なる場合に、センサー位置検出部３１によって検出された画面上の位置の画像を画面上の他の領域に表示するように描画する。
制御部３５は、画像処理部５５によって描画されるポインタの座標と、画像センサー１０が配置された座標を表す位置データとを比較し、画像センサー１０が位置する領域（例えば、領域Ａ）内にポインタがあるか否かを判定し、画像センサー１０が位置する領域内にポインタがある場合に、画像処理部５５に、ポインタの位置と画像センサーの位置とが重なることを画像処理部５５に出力する。【００２８】
図８、図９を用いてさらに説明する。図８、図９は、他の実施形態における表示装置１に表示される画面の一例を表す図である。
図８に示すように、制御部３５は、ユーザによってマウスが操作されたマウスポインタの位置と、画像センサー１０が位置する領域Ａとを比較し、重なるか否かを判定する。図８においては、重ならないので、制御部３５は、画像処理部５５に対して特に指示を出力せず、通常通り画像を表示させる。
図９に示すように、マウスポインタの位置と領域Ａとが重なる場合、制御部３５は、画像処理部５５にマウスポインタと領域Ａとが重複することを出力する。画像処理部５０は、これを受け、領域Ａに表示すべき画像をその隣接する領域Ｂに表示する。【００２９】
この実施形態において、マウスポインタの位置検出としては、画像表示装置１が接続されるコンピュータのグラフィックボードにセンサー位置情報を送り、設定しても良く、もしくは画像表示装置側で行う場合は、マウスポインタのホットスポット位置をコンピュータから送信してもらい、これと領域Ａとを比較して判定を行うか、画像表示装置側にて画像認識を行うことにより検出するようにしてもよい。【００３０】
なお、上述した実施形態において、表示装置１は、液晶ディスプレイである場合について説明したが、プラズマディスプレイであってもよい。
また、上述した実施形態においては、画像センサー１０が輝度を検出する場合について説明したが、色度を検出し、これを色度の所定の基準値と比較するようにしてもよい。
また、上述した実施形態において、画像センサー１０は、画像表示装置の外部に設けられる場合について説明したが、例えば、画像センサーが画像表示装置に固定的に設けられる場合にも適用可能である。この場合、画像センサーの位置を上述した処理と同様に計測してもよいし、位置が固定されているので、画像センサー位置入力部２０から入力し、制御部３０（あるいは制御部３５）を介して位置データ記憶部４０に書き込むようにしてもよい。【００３１】
また、上述した実施形態において、画像センサーによって視認できなくなる領域だけでなく、例えば、プロジェクター使用時の人影による画像隠れなどにも適用できる。
【産業上の利用可能性】
【００３２】
画像センサーが設けられる画像表示装置に適用することが可能である。
【図１】
2010116467.tif 000003
【図２】
2010116467.tif 000004
【図３】
2010116467.tif 000005
【図４】
2010116467.tif 000006
【図５】
2010116467.tif 000007
【図６】
2010116467.tif 000008
【図７】
2010116467.tif 000009
【図８】
2010116467.tif 000010
【図９】
2010116467.tif 000011
【国際調査報告】
2010116467.tif 000012
2010116467.tif 000013
2010116467.tif 000014
2010116467.tif 000015